(57)【特許請求の範囲】
【請求項１】
育成トレイの底から取出し可能な状態で植物苗を育成し、その植物苗を圧縮空気で育成トレイから副排出路を介してノズルから、のり面等に吹き付けることを特徴とする植物苗の噴射式植付緑化工法。
【請求項２】
請求項１における副排出路を主排出路に接合し、主排出路の端部からの圧縮空気を介して、植物苗をノズルから、のり面等に吹き付けることを特徴とする請求項１の植物苗の噴射式植付緑化工法。
【発明の詳細な説明】
【０００１】
【発明の属する技術分野】
本発明は、のり面等に植物苗を植えるために、育成トレイで育成した植物苗（セル成型苗）をのり面等に吹き付ける噴射式植付緑化工法に関する。
【０００２】
【従来の技術】
従来、のり面等に植物を植えるための工法には、種子と肥料等を攪拌機を介して混合し、その混合物を圧縮空気を介して吹き付けて、緑化を行っている。
一方、２節以上を有する芝茎（ノシバ等の匍ふく茎）を肥料等と特定形状の攪拌翼を介して攪拌し、圧縮空気でのり面等に吹き付ける工法も考案されているが、実用化されているとはいい難い状況である。
これは、実用上、種子繁殖可能な植物が限られており、緑化材料としては栄養繁殖性の植物の方が、遥かに多いことによる。
【０００３】
【発明が解決しようとする課題】
そこで、今までにない、多種多様な植物をのり面等に植生するためには、種子や芝茎の他に、発根済の植物苗を植え付けることが必要不可欠である。
しかし、前記植物苗を広いのり面等に１本づつ手作業で植え付けることは、労力、時間、ポット苗の荷造り、輸送、又、ポリポットの処理等多くの点から経済的でない。
そこで、本発明は、かかる課題を解消できる植物苗の噴射式植付緑化工法を提供するものである。
【０００４】
【課題を解決するための手段】
請求項１の植物苗の噴射式植付緑化工法は、育成トレイの底から取出し可能な状態で植物苗（セル成型苗）を育成し、その植物苗を圧縮空気で育成トレイから副排出路を介してノズルから、のり面等に吹き付けるものであり、簡便に、のり面を植物苗で緑化することができる。
又、請求項２の植物苗の噴射式植付緑化工法は、副排出路を主排出路に接合し、主排出路からの圧縮空気を介して、植物苗をノズルから、のり面等に吹き付けるものであり、副排出路は主排出路に流れる空気流によって、より円滑に、植物苗は主排出路に導かれる。
【０００５】
【発明の実施の形態】
本発明の実施の形態を図面を参照して説明すると、図１は育成トレイ１０によって、植物苗（セル成型苗）１を育成している全体図である。
セル成型苗１は、土を付着した状態で、底から取出し可能な育成トレイ１０で育成される。従って、育成トレイ１０は、１単位（１本に限らず、のり面に植え付けるに望ましい数）づつの育成を可能とする間仕切板１１ａ、１１ｂによって仕切られていると共に、底板１２とは装脱着可能に形成してある。
即ち、底板１２の両側にはガイド体１２ａが形成してあり、育成トレイ１０は底板１２の上でスライド可能になっているので、取手１３をもって装脱着可能である。
尚、セル成型苗としてはツルマンネングサ等であるが、その他、のり面に植えるに適したものであればよい。
【０００６】
次に、前記セル成型苗をのり面に吹き付ける方法について、概念を示す図２を参照して説明する。
空気圧縮機２０は種々の圧力、風量を選定でき、その圧縮空気は、バルブ２１を介して副噴出管２２（合成樹脂やゴムホース等）に接続してあり、その副噴出管２２の先端には副コック２３を介して、育成トレイ１０の１区画（間仕切板１１ａ、１１ｂで区切られた区画）にあう形状のラッパ体２５が付設してある。
【０００７】
育成トレイ１は、スライド可能なスライド装置２６に載せ、区画毎の移動を可能にしてある。
このスライド装置２６を概説すると、両端に弾性力あるゴム製の輪体（図示略）が適宜の間隔で配置してあり、その輪体の間に、スライド体２７に載せた育成トレイ１０を挟み込む構成であり、手で育成トレイ１０を移動させる手動式であるが、モータ等を介して自動式に構成してもよい。
【０００８】
又、スライド装置２６の下面には、セル成型苗１を受け入れる、合成樹脂又が金属製の副排出路３０が設置してある。
尚、この副排出路３０の入口は、育成トレイ１０の縦方向（図中の表裏方向）に配設の複数のセル数の大きさであるが、１単位のセル成型苗１を通過を可能に、図示略のレジューサを介して絞って形成してあり、後述の主排出路４４の先端部に位置するノズル４５からのり面５０に向かって噴出可能となっている。
【０００９】
一方、空気圧縮機２０からの圧縮空気は、バルブ４０を介して主噴出管４１（合成樹脂やゴムホース等）に接続してある。そして、その主噴出管４１は主コック４３を介して、合成樹脂製等の主排出路４４に接合してあり、直線状の主排出路４４に対して、途中で、傾斜状に記副排出路３０を接合し、その端部に付設のノズル４５から、適宜位置を変えて、のり面５０に向かって噴出可能となっている。
【００１０】
次に、前記構成のセル成型苗をのり面に吹き付ける方法について説明する。
空気圧縮機２０を起動して、バルブ２１を開にして圧縮空気の噴出を可能にする。そして、育成トレイ１０の取手１３を持って底板１２から取り外して、スライド装置のスライド板２７に載せて、のり面に噴出するセル成型苗１を副排出路３０の入口の位置にあわせる。
【００１１】
次に、ラッパ体２５を育成トレイ１の１区画にあわせ、副コック２３を開くと、圧縮空気によって、セル成型苗１は育成トレイ１０の底から抜けて、副排出路３０に排出され、ノズル４５からのり面５０に向かって噴出する。
この操作によって、セル成型苗１は、簡便に、育成トレイ１０から、のり面５０に吹き付けることができるし、その隣接するセル成型苗に対しても同様に行う。
【００１２】
尚、この時、望ましくは、バルブ４０、主コック４３を開状態にしておくと、副排出路３０内のセル成型苗は、主排出路４４の空気流によって導かれて（霧吹きの原理）、より円滑に、副排出路３０から主排出路４４に移送される。
【００１３】
そして、育成トレイ１０における同じ列のセル成型苗に対して排出が終ったとき、スライド装置２６を介して１セル移動させて、順次、前記操作を行う。
以上の操作によって、セル成型苗１は、損傷なく、簡便に、のり面５０に吹き付けられる。
尚、ラッパ体２５を育成トレイの１区画にあわせるので、セル成型苗は風圧による損傷から守られるし、例え、損傷を受ける場合には、セル成型苗が大きく育っていない状態（例えば、僅かに目が出た状態）で実施すれば問題ない。
【００１４】
又、セル成型苗１をのり面５０に吹き付けた後に、肥料や水等を吹き付ける必要があるときには、肥料等を副排出路３０から投入すると、ノズル４５から、のり面５０に吹き付けることができるので、同じ装置を使用して可能であるので経済性に富むし、この装置で行った、セル成型苗の吹き付け後における生育も良好である。
【００１５】
【発明の効果】
請求項１の噴射式植付緑化工法によれば、植物苗を圧縮空気でのり面等に吹き付ける工法であるため、簡便に、のり面に吹き付けることができる。
又、請求項２の噴射式植付緑化工法は、副排出路内の植物苗は主排出路の空気流によって導かれるので、より円滑に、植物苗の移送が可能である。
【図面の簡単な説明】
【図１】育成トレイの全体図である。
【図２】セル成型苗をのり面に吹き付ける概念を示す図である。
【符号の説明】
１  セル成型苗
１０  育成トレイ
１１ａ、１１ｂ  間仕切板
２０  空気圧縮機
２２  副噴出管
２５  ラッパ体
２６  スライド装置
３０  副排出路
４１  主噴出管
４４  主排出路
４５  ノズル
５０  のり面
【図１】
0003778471.tif 000002
【図２】
0003778471.tif 000003